(57)【要約】【課題】            採取できた液体が少量の場合であっても検査を容易に行うことが出来る、簡単な構造の検査器具を。【解決手段】        先端側に吸入部を備え、基端側に吸引手段接続部を備えた本体部と、本体部側面に設けられたインジケーター封入部からなり、インジケーター封入部は内部に液体との接触によって変化を起こすインジケーターを内包しており、本体内部には前記吸入部と吸引手段接続部とを連通する流路が形成され、該流路の中間部にはインジケーター封入部の内部に連通する連絡部が形成されており、前記吸入部から連絡部までの流路を吸入部側流路とし、前記吸引手段接続部側流路から連絡部までの流路を吸引手段接続部側流路とすると、インジケーター封入部と対面する連絡部の内壁には、吸入部側流路から吸引手段接続部へ液体の直接の流れを阻害する阻害部材が設けられていることを特徴とする検査器具。【選択図】          図１
2009125130.tif 000002
【特許請求の範囲】
【請求項１】
液体を器具内に吸入し、器具内部に設けられたインジケーターと吸入した液体を接触させて液体を検査する検査器具で、
先端側に吸入部を備え、基端側に吸引手段接続部を備えた本体部と、本体部側面に設けられたインジケーター封入部からなり、
インジケーター封入部は内部に液体との接触によって変化を起こすインジケーターを内包しており、
本体内部には前記吸入部と吸引手段接続部とを連通する流路が形成され、該流路の中間部にはインジケーター封入部の内部に連通する連絡部が形成されており、
前記吸入部から連絡部までの流路を吸入部側流路とし、前記吸引手段接続部側流路から連絡部までの流路を吸引手段接続部側流路とすると、インジケーター封入部と対面する連絡部の内壁には、吸入部側流路から吸引手段接続部への液体の直接の流れを阻害する阻害部材が設けられていることを特徴とする検査器具。
【請求項２】
前記阻害部材における、前記吸入部側流路及び吸引手段接続部側流路に対して垂直方向に切断した時の断面積は、吸入部側流路および／または吸引手段接続部側流路の内径よりも大きいことを特徴とする、請求項１に記載の検査器具。
【請求項３】
前記インジケーター封入部が本体部と着脱可能な構成であることを特徴とする、請求項１または２に記載の検査器具。
【請求項４】
前記インジケーター封入部はその上端に突出部を備えており、本体部は該流路突出部と嵌合する孔部を備えており、該流路突出部と該孔部とを嵌合させることでインジケーター封入部と前記連絡部が連通する構成であることを特徴とする、請求項１ないし３のいずれかに記載の検査器具。
【請求項５】
前記連絡部は本体部側面から外方に突出しており、連絡部とインジケーター封入部とを嵌合させることで連絡部とインジケーター封入部が連通する構造であることを特徴とする、請求項１ないし３のいずれかに記載の検査器具。
【請求項６】
液体を器具内に吸入し、器具内部に設けられたインジケーターと吸入した液体を接触させて液体を検査する検査器具で、
先端側に吸入部を備え基端側に吸引手段接続部を備えた本体部と、本体部側面に設けられたインジケーター封入部からなり、
インジケーター封入部は内部に液体との接触によって変化を起こすインジケーターを内包しており、
本体部は内部に吸入部側流路と吸引手段接続部側流路を設けており、
吸入部側流路は本体部先端に設けられた先端部開口と連通して本体部の軸方向に延びる流路と、本体部側面に設けられた側面部第一開口と連通して本体部の軸方向に対して垂直に延びる流路とが交わるよう形成されており、
吸引手段接続部側流路は本体部基端側に設けられた後端部開口と連通して本体部の軸方向に延びる流路と、本体部側面に設けられかつ側面部第一開口と隣接する位置に設けられた側面部第二開口と連通して本体部の軸方向に対して垂直に延びる流路とが交わるよう形成されており、
インジケーター封入部と吸入部側流路は側面部第一開口を介して連通しており、またインジケーター封入部と吸引手段接続部は側面部第二開口を介して連通していることを特徴とする検査器具。
【請求項７】
前記インジケーター封入部が着脱可能であることを特徴とする、請求項６に記載の検査器具。
【請求項８】
前記インジケーター封入部は、その上端から突出し吸入部側流路と連通可能である第一突起と、同じくその上端から突出し吸引手段接続部側流路と連通可能である第二突起を備えており、第一突起と吸入部側流路とを嵌合させ、第二突起と吸引手段接続部側流路とを嵌合させることで本体部とインジケーター封入部が連結する構造であることを特徴とする、請求項７に記載の検査器具。
【請求項９】
前記吸入部側流路及び前記吸引手段接続部側流路は本体部側面から外方に突出しており、これらの流路をインジケーター封入部に嵌合させることでインジケーター封入部と本体部が連結する構造であることを特徴とする、請求項８に記載の検査器具。
【発明の詳細な説明】
【技術分野】
【０００１】
本発明は、体液やその他の液体を吸引して各種検査を行う検査器具に関する。
【背景技術】
【０００２】
特に医療の現場において、胃液や血液、膵液、尿などの液体を採取して検査を行う機会は多い。その際、一度採取した液体を別の容器に移し、そこで試験紙や検査試薬（以下、インジケーターと称する）と液体を接触させて反応を見るという方法が採られている。しかし、この方法では物品の準備に手間がかかるという問題がある。
【０００３】
液体を採取して検査を行う器具としては、特許文献１及び２に挙げられる器具が使用されている。特許文献１に記載されている器具は、先端部に判定部分を設けたスティックとそれを収納する容器からなり、スティックで検体を採取し、スティックを容器内に収めることで容器内のインジケーターと検体が接触して反応を起こし、検体の判定を行うことが出来るものである。しかし、この器具は検査する液体をスティックと接触させた後に検査具本体内にスティックを収納し、ろ過部を介して液体と判定シートと接触させて液体の検査を行う構成であるため、スティックと接触した液体が少量である場合には液体と判定シートが充分に接触せず、充分に検査を行うことが出来ない恐れがある。また、この器具はスティックと容器をセットで扱わなければならない点、またスティックと容器がともに１回限りの使用となる点で、使い捨てをするにはコストが高いという問題がある。
特許文献２に記載されている器具は例えば血糖値の測定に用いられる成分測定装置に装着される体液採取具である。しかしこの器具は成分測定装置と一体にしないと使用できないものであり、成分測定装置においては測定用の回路基板やマイクロスイッチ、電源などを備えているため、これらの電気系統にトラブルが発生した場合成分測定装置が使用不能となり、液体の測定を行うことができなくなるおそれがある。
【０００４】
【特許文献１】特開平７−６３７５０号明細書
【特許文献２】国際公開ＷＯ２００４／０８４７２７号明細書
【発明の開示】
【発明が解決しようとする課題】
【０００５】
本発明は、上記問題点を解決するためになされたものである。つまり、採取できた液体が少量の場合であっても検査を容易に行うことが出来る、簡単な構造の検査器具を提供することを目的とする。
【課題を解決するための手段】
【０００６】
上記目的を解決するために、本発明は以下の構成を備える。すなわち本願第一の発明の検査器具は、液体を器具内に吸入し、器具内部に設けられたインジケーターと吸入した液体を接触させて液体を検査する検査器具で、先端側に吸入部を備え、基端側に吸引手段接続部を備えた本体部と、本体部側面に設けられたインジケーター封入部からなり、インジケーター封入部は内部に液体との接触によって変化を起こすインジケーターを内包しており、本体内部には前記吸入部と吸引手段接続部とを連通する流路が形成され、該流路の中間部にはインジケーター封入部の内部に連通する連絡部が形成されており、前記吸入部から連絡部までの流路を吸入部側流路とし、前記吸引手段接続部側流路から連絡部までの流路を吸引手段接続部側流路とすると、インジケーター封入部と対面する連絡部の内壁には、吸入部側流路から吸引手段接続部へ液体の直接の流れを阻害する阻害部材が設けられていることを特徴とする。
【０００７】
本願第一の発明の検査器具においては、前記吸入部側流路及び吸引手段接続部側流路に対して垂直方向に切断した時の前記阻害部材の断面積は、吸入部側流路および／または吸引手段接続部側流路の内径よりも大きいことが望ましい。
【０００８】
本願第一の発明の検査器具においては、前記インジケーター封入部が本体部と着脱可能な構成であることが望ましい。このとき、前記インジケーター封入部はその上端に突出部を備えており、本体部は該流路突出部と嵌合する孔部を備えており、該流路突出部と該孔部とを嵌合させることでインジケーター封入部と前記連絡部が連通する構成であることが望ましい。また、前記連絡路が本体部側面から外方に突出しており、連絡部とインジケーター封入部とを嵌合させることで連絡部とインジケーター封入部が連通する構造であることも望ましい。
【０００９】
本願第二の発明の検査器具は、液体を器具内に吸入し、器具内部に設けられたインジケーターと吸入した液体を接触させて液体を検査する検査器具で、先端側に吸入部を備え基端側に吸引手段接続部を備えた本体部と、本体部側面に設けられたインジケーター封入部からなり、インジケーター封入部は内部に液体との接触によって変化を起こすインジケーターを内包しており、本体部は内部に吸入部側流路と吸引手段接続部側流路を設けており、吸入部側流路は本体部先端に設けられた先端部開口と連通して本体部の軸方向に延びる流路と、本体部側面に設けられた側面部第一開口と連通して本体部の軸方向に対して垂直に延びる流路とが交わるよう形成されており、吸引手段接続部側流路は本体部基端側に設けられた後端部開口と連通して本体部の軸方向に延びる流路と、本体部側面に設けられかつ側面部第一開口と隣接する位置に設けられた側面部第二開口と連通して本体部の軸方向に対して垂直に延びる流路とが交わるよう形成されており、インジケーター封入部と吸入部側流路は側面部第一開口を介して連通しており、またインジケーター封入部と吸引手段接続部は側面部第二開口を介して連通していることを特徴とする。
【００１０】
本願第二の発明においては、前記インジケーター封入部と本体部が着脱可能であることが望ましい。このとき、前記インジケーター封入部はその上端から突出し吸入部側流路と連通可能である第一突起と、同じくその上端から突出し吸引手段接続部側流路と連通可能である第二突起を備えており、第一突起と吸入部側流路とを嵌合させ、第二突起と吸引手段接続部側流路とを嵌合させることで本体部とインジケーター封入部が連結する構造であることが望ましい。また、前記吸入部側流路及び前記吸引手段接続部側流路が本体部側面から外方に突出しており、これらの流路をインジケーター封入部に嵌合させることでインジケーター封入部と本体部が連結する構造であることも望ましい。
【発明の効果】
【００１１】
以上の構成からなる検査器具により、吸引手段接続部にシリンジや誤接続防止用注入器などの吸引手段によって本体部内に液体を吸引した時、吸引した液体は直接吸引手段に吸引されることなく、インジケーター封入部へと流入する。そのため、液体が少量しか吸引できない場合でも液体とインジケーターを接触させやすくなり、効率良く検査を行うことが出来る。
【発明を実施するための最良の形態】
【００１２】
以下、本発明の構成を、図面を用いて詳細に説明する。
【００１３】
図１は本発明の検査器具の全体図である。本発明の検査器具は、吸入部２１と吸引手段接続部２２を備えた本体部２と、本体部の側面に設けられ、液体と接触したときに、液体の性質によって反応を起こすインジケーターを内包したインジケーター封入部３から構成される。本体部２の内部には吸入部側流路（以下、第一流路とする）と吸引手段接続部側流路（以下、第二流路とする）が設けられている。
【００１４】
図２は、本願第一の発明における検査器具の断面図である。吸入部２１は、その先端に設けられた先端部開口２１２から液体を吸入する。吸入部２１の内部にはインジケーター封入部と連通する第一流路２１１が設けられている。吸入部２１の形状を円筒状とすると、例えばホースやカテーテルなど他の円筒状部材の内腔に吸入部２１を液密に挿入しやすくなり、他の円筒状の部材を経由して液体を吸引することが出来る。よって、奥まった部位にある液体を吸引することや、触れてはいけない液体を吸引する際に有用である。また、吸入部２１にテーパーをつけることも他の円筒状部材の内腔に挿入し易くなることから有用である。さらに、図１に記載されているように、吸入部２１の側壁にフランジや複数の突起物からなる滑り止め２１４を設けることで、吸入部２１を他の円筒状部材の内腔に挿入した際、滑り止め２１４によって該円筒状部材から本発明の検査器具が脱落しにくくなる。
【００１５】
吸引手段接続部２２は、本体部２において吸入部２１が備えられた部分とは反対側の端部に設けられている。吸引手段接続部２２は円筒形状であり、シリンジや誤接続防止用注入器、吸引用のポンプなどの吸引手段（図示せず）と液密に接続可能な構成である。吸引手段接続部２２にはインジケーター封入部３と連通する第二流路２２１が設けられている。吸引手段接続部２２に吸引手段を接続した後に吸引手段によって吸引操作を行うと、吸引手段によって第二流路２２１やインジケーター封入部３、第一流路２１１内に陰圧が発生する。この陰圧によって、吸入部２１の先端に設けられた先端部開口２１２より液体を検査器具１内部へ吸入することができる。この時、吸引手段としてシリンジや誤接続防止用注入器など、手動で陰圧を発生させることが出来る手段を用いれば、準備も簡単でありかつトラブルの発生も低減することができる。また、吸引手段接続部２２と吸引手段を予め一体で構成すると、吸引手段を用意して接続する手間が省ける。
【００１６】
本体部２の内部において、第一流路２１１と第二流路２２１が連絡される部位には、本体部２の軸方向に対して垂直になるように形成され、インジケーター封入部３と連通する連絡部２３が設けられている。連絡部２３のインジケーター封入部と対面する内壁には、第一流路２１１から第二流路２２１への直線方向の流れを阻害する阻害部材２４が第一流路２２１および第二流路２２１に対して垂直となるように設けられている。阻害部材２４をこのように設けることで、吸引手段接続部２２に接続された吸引手段によって吸引操作を行った際、吸入部２１の先端部開口２１２から吸引された液体が直接吸引手段に流れることなく連絡部２３へと流れ、連絡部２３と連通するインジケーター封入部３内に流入させやすくなる。また、この時インジケーター封入部３を本体部２の下側に位置した状態で吸引操作を行えば、吸引された液体はインジケーター封入部３の底部に落下する。ここでインジケーター３１がインジケーター封入部３の底部に位置するように設けられていれば、インジケーター封入部３内に落下した液体は確実にインジケーターと接触する。また、インジケーター封入部３を本体部２の下側に位置した状態を保っておけば、インジケーター３１と接触した液体が第一流路２１１もしくは第二流路２２１に流入することはないので、吸引した液体が逆流して外部に漏出することを防ぐことが出来る。
【００１７】
阻害部材２４の第一流路２１１および第二流路２２１に対して垂直方向の断面積は、第一流路２１１および第二流路２２１の内径の７０〜９０％程度であれば吸引した液体が直接吸引手段に流れにくくなるが、第一流路２１１および第二流路２２１の内径よりも大きくなるように設定することで、より吸引した液体が吸引手段に直接流れにくくなり、吸入した液体とインジケーター３１をより効率良く接触させることが出来る。なお阻害部材２４は、連絡部２３を形成した後に連絡部２３内に阻害部材２４を接着・溶着することで設けてもよく、予め一体で成形してもよい。
【００１８】
インジケーター封入部３は、本体部２に対して着脱可能に構成されていてもよい。図３および図４は、本願第一の発明において本体部２とインジケーター封入部３を着脱可能な構成としたときの検査器具の断面図である。インジケーター封入部３を本体部２と着脱可能な構造とした場合、吸入した液体がインジケーター３１と接触した後でもう一度検査を行う際、インジケーター封入部３を本体部２から取り外し、新たに未使用のインジケーター封入部３を本体部２に接続することで再び検査を行うことが出来る。このため、用具を全て替えることなく検査を繰り返し行うことが出来るので、コストの削減につながる。
【００１９】
インジケーター封入部３と本体部２を着脱可能な構成とした際、図３に記載されているように、連絡部２３が本体部２の側面から外方に突出し、インジケーター封入部３と本体部２を連結した際にインジケーター封入部３内に突出するように形成してもよく、また図４に記載されているようにインジケーター封入部３の上端に嵌合突起３５が突出し連絡部２３の内部に嵌合する形状でもよい。このような構成にすることで、インジケーター封入部３と連結部２３の位置を合わせやすくなり、その結果両者は連通し易くなる。
【００２０】
図４は、本願第二の発明における検査器具の断面図である。本体部２の内部には、第一流路２１１と第二流路２２１が形成されている。第一流路２１１は、吸入部２１の先端に設けられた先端部開口２１２と本体部２の側面に設けられた側面部第一開口２１３とを連通している。また、第二流路２２１は、吸引手段接続部２２に設けられた後端部開口２２２と、本体部２の側面に設けられかつ側面部第一開口２１３に隣接した位置に設けられた側面部第二開口２２３と連通している。
【００２１】
本願第二の発明においては、第一流路２１１は、先端部開口２１２と連通して本体部２の軸と平行な流路と、側面部第一開口２１３と連通して本体部２の軸と垂直となる流路が交わるよう形成されており、また第二流路２２１は、後端部開口２２２と連通して本体部２の軸と平行な流路と、側面部第二開口２２３と連通して本体部２の軸と垂直となる流路が交わるよう形成されている。以上のように本体部２の内部に流路を構成することで、吸引手段接続部２２に接続された吸引手段によって吸引操作を行った際、吸引された液体が直接吸引手段に流れることなく連絡部２３へと流れ、連絡部２３と連通するインジケーター封入部３内に流入させやすくなる。この構成により、インジケーター封入部３を本体部２の下側に位置した状態で吸引操作を行えば、吸引された液体はインジケーター封入部３の底部に落下する。ここでインジケーター３１がインジケーター封入部３の底部に位置するように設けられていれば、インジケーター封入部３内に落下した液体は確実にインジケーターと接触する。また、インジケーター封入部３を本体部２の下側に位置した状態を保っておけば、インジケーター３１と接触した液体が第一流路２１１もしくは第二流路２２１に流入することはないので、吸引した液体が逆流して外部に漏出することを防ぐことが出来る。なお、本体部２の軸と平行な流路と本体部２の軸に対して垂直となる流路とが実質的に直角に交わるよう形成すると、本発明の検査器具をより容易に成形することが出来る。
【００２２】
図６および図７は、本願第二の発明において、インジケーター封入部３が本体部２に対して着脱可能に構成されている例の断面図を示したものである。インジケーター封入部３と本体部２を着脱可能とすることで、本願第一の発明と同様、用具を全て替えることなく検査を繰り返し行うことが出来るので、コストの削減を図ることが出来る。このとき、図６に記載されているようにインジケーター封入部３の上端に第一突起３２、第二突起３３をそれぞれ設け、第一突起３２を第一流路２１１と、第二突起３３を第二流路２２１とそれぞれ嵌合させることでインジケーター封入部３と本体部２が接続する構造であってもよいし、また図７に記載されているように連絡部２３が本体部２の側面から外方に突出し、インジケーター封入部３と本体部２が連結した時に連絡部２３がインジケーター封入部３の内部に突出するような形状でもよい。このような構成とすることで、本体部２とインジケーター封入部３を接続した際位置合わせが容易となり、第一流路２１１および第二流路２２１とインジケーター封入部３内を連通させることが容易となる。さらに図７の構成に依れば、液体をインジケーター封入部３内に吸入した後にインジケーター封入部３を本体部２の上側に位置させた場合でも液体が隙間３４に溜まり易く、そのため第一流路２１１及び第二流路２２１に浸入しにくくなり、一度吸引した液体やインジケーターの成分が逆流して外部に漏出することを防ぐことが出来る。
【００２３】
本願第一および第二の発明のインジケーター封入部３は接触した液体の種類によって反応を示すインジケーター３１を内包し、上記の構成によって第一流路２１１と連通し、また第二流路２２１と連通している。図１においては略円柱状のインジケーター封入部３が記載されているが、形状はこの限りでなく、角柱状でもよいし板状のものでもよい。インジケーター封入部３は本体部と一体に成形されていてもよく、また前記のように本体部と着脱可能であってもよい。さらに、内包されたインジケーターの変化を外部から視認できる構成であることが望ましく、この構成の例としては、インジケーター封入部の一部または全部を透明な部材で構成するものなどが考えられる。
【００２４】
インジケーター封入部３に内包されるインジケーター３１としては、液体の性質や種類によって変化を起こし、その結果液体の種類を特定できるものであればよい。例としてはｐＨ指示薬、抗体試薬、蛍光試薬などが考えられる。インジケーターは変化する試薬をそのまま封入してもよいが、該試薬を担持体に担持させて封入する方法も考えられる。このときの担持体としては試薬を安定に担持できるものであればよく、吸水性のものであれば少量の体液でも接触した瞬間にその大部分を吸収することが出来るので、インジケーターの変化がわかりやすく好ましい。例としては紙、繊維、スポンジなどの多孔質体が挙げられるが、ごく少量の体液の接触によっても容易に変化が確認できるよう、紙体のように薄い形状であることが好ましい。
【００２５】
また、各種試薬を担持体に担持させてインジケーター３１を構成する場合、インジケーター３１は試薬担持体に試薬を担持させた後、乾燥させることが望ましい。乾燥させることでインジケーター３１の吸水性能をより向上させると共に、担持させた試薬を使用するまでに安定した状態で担持できるという利点がある。乾燥の方法については常温乾燥、熱風乾燥、減圧乾燥、凍結乾燥などが例として挙げられるが、試薬を変質させずに試薬担持体に担持させ、なおかつ乾燥できる方法が望ましい。さらに、インジケーター封入部３が本体部２に対して着脱可能である場合、インジケーター封入部３は使用直前まで密封されていることが望ましい。インジケーターが変質する要素としては日光・温度・湿度・酸素などが考えられるので、それらから内包された部材の変質を守ることができるような、例えばアルミパックなどによってインジケーター封入部３を密封することが望ましい。
【００２６】
インジケーター封入部３内に封入するインジケーター３１は１種類の試薬に限らず、異なる複数種類の試薬を備えることも有用である。例えば、ｐＨの確認を行う場合は、異なる変色域を持つ複数の指示薬を１つのインジケーターに備えることによって、液体のｐＨを幅広く確認することが出来る。また、公知である尿検査用の試験紙のように、例えば血液に反応する試薬と蛋白に反応する試薬、糖に反応する試薬を一つのインジケーターにまとめれば、一度液体とインジケーター３１とを接触させるだけで複数の検査をこなすことが出来る。
【００２７】
本発明の検査器具の材料としては、一般に医療用基材として用いられているものでよく、例えばポリプロピレン、ポリエチレン、ポリカーボネート、ポリウレタン、スチレン系やオレフィン系などの熱可塑性エラストマーなどや、これらを混合した材料が挙げられる。特にインジケーター封入部３においては、前述のように内包されたインジケーターの変化を外部から視認できる構成であることが望ましいので、透明な部材を用いることが望ましい。
【実施例１】
【００２８】
本発明の検査器具を用いて液体の検査を行う例について説明する。まずはシリンジや誤接続防止用注入器、ポンプなどの吸引手段（図示せず）を吸引手段接続部２２に接続する。インジケーター封入部３が本体部２に対して着脱可能であるならば、インジケーター封入部３を本体部２に接続する。以上の準備が済んだら、インジケーター封入部３を本体部２に対して下側に位置した状態で吸入部２１を液体と接触させる。吸入部２１が液体と接触したとき、吸引手段接続部２２に接続した吸引手段によって陰圧を発生させる。すると、第一流路２１１、第二流路２２２、連絡部２３がある場合には連絡部２３の内腔に陰圧が発生する。この陰圧によって吸入部２１と接触した液体が第一流路２１１内へと吸引される。吸引された液体は、本願第一の発明における阻害部材２４、または本願第二の発明における第一流路２１１の構成によって直接吸引手段内に吸引されることなく、インジケーター封入部３に到達する。ここでインジケーター封入部３内に達した液体がインジケーター３１と接触するので、このときのインジケーター３１の変化を見て液体の検査を行うことが出来る。
【００２９】
一度液体をインジケーター３１と接触させた後、そのまますぐに別の液体を吸引して検査を行いたい時は、インジケーター封入部３と本体部２が着脱可能な構成であれば、使用済みのインジケーター封入部３を本体部２から取り外し、新たに未使用のインジケーター封入部３を本体部２に接続して上記の操作を繰り返すだけで、再び検査を行うことが可能である。この時、異なる種類のインジケーター３１を封入したインジケーター封入部３を多種用意することで、１つの液体に対して複数の検査を簡便に行うことが出来る。例えば尿の検査を行う際、潜血に反応するインジケーターを封入したインジケーター封入部、蛋白に反応するインジケーターを封入したインジケーター封入部、糖に反応するインジケーターを封入したインジケーター封入部をそれぞれ準備し、液体を吸引するたびにこれらのインジケーター封入部を交換して検査を行えば、多種の検査を簡便に行うことが出来る。
【実施例２】
【００３０】
本発明の検査器具を用いて、体内、特に胃に挿入されたカテーテルの先端の位置を確認する例について説明する。まず、従来の方法によってカテーテル（図示せず）を胃内へと挿入する。そしてカテーテルの先端が胃に達したと判断したら、体外にあるカテーテルの端部に本発明の検査器具の吸入部２１をカテーテルの端部と嵌合させ、カテーテルに本発明の検査器具を取り付ける。そして、吸引手段接続部２２にはシリンジや誤接続防止用注入器、吸引用のポンプなどの吸引手段（図示せず）を接続する。この吸引手段によって吸引操作を行うことで、第二流路２２１、第一流路２１１、連絡部２３がある場合には連絡部２３、そしてカテーテルの内腔に陰圧を発生させることができる。そして発生した陰圧によって、カテーテルの先端付近にある液体がカテーテル内へと吸引され、第一流路２１１を経てインジケーター封入部３内まで吸引することができる。吸引した液体がインジケーター封入部３に達すると、液体とインジケーター３１が接触し、液体の種類によってインジケーターが反応する。液体と触れた際のインジケーターの反応を見て、吸引した液体の種類を特定することができ、それによってカテーテルの先端の位置が胃の中にあるか、そうでないかを判断することができるのである。胃内容物は酸性であるため、インジケーターの変化によって吸引した液体が胃由来のものであると確認でき、その液体を吸引したカテーテルの先端部は胃の中にあると特定できる。なお、このとき用いるインジケーターとしては、例えば青色リトマス、ブロモチモールブルー、ブロモクレゾールパープル、クロロフェノールレッドなどが挙げられる。
【００３１】
この吸引操作を、インジケーター封入部３が本体部２の下方に位置した状態で行うことで、吸引した液体は第一流路２１１を通ってインジケーター封入部３内に滴下され、インジケーター３１と接触する。吸引した液体はインジケーター封入部３内に溜まるので、インジケーター封入部３が本体部２の下側に位置する限り、インジケーター３１と接触した液体が再び第一流路２１１に戻り、体内へ逆流することを防ぐことができる。また、図４に記載されているように、第一流路２１１及び第二流路２２１をインジケーター封入部３内に突出するような形で設けることにより、液体をインジケーター３１と接触させた後にインジケーター封入部３が本体部２の上方に来ても液体が第一流路２１１の中に戻りにくく、吸入部側に液体が逆流することを防ぐことができる。インジケーター封入部３と本体部２が着脱可能な構成であれば、一度液体を吸引した後に再び液体を吸引する時は使用済みのインジケーター封入部３を本体部２から取り外し、未使用のインジケーター封入部３を本体部２に接続して上記の吸引操作を行えば、再び液体の種類の確認を行うことが出来る。
【産業上の利用可能性】
【００３２】
本発明の検査器具は単体でも液の採取と検査を行うことが出来るが、実施例のようにカテーテルに接続して使用することも可能である。また、吸入部に穿刺用の針を装着し、体液を採取すると同時に検査を行う、という応用方法も考えられる。
【図面の簡単な説明】
【００３３】
【図１】本発明の検査器具の斜視図である。
【図２】本願発明の検査器具の縦断面図である。
【図３】本願発明の検査器具における、別の実施例の縦断面図である。
【図４】本願発明の検査器具における、別の実施例の縦断面図である。
【図５】本願発明の検査器具における、別の実施例の縦断面図である。
【図６】本願発明の検査器具における、別の実施例の縦断面図である。
【図７】本願発明の検査器具における、別の実施例の縦断面図である。
【符号の説明】
【００３４】
１            検査器具
２            本体部
２１          吸入部
２１１        吸入部側流路（第一流路）
２１２        先端部開口
２１３        側面部第一開口
２１４        滑り止め
２２          吸引手段接続部
２２１        吸引手段接続部側流路（第二流路）
２２２        後端部開口
２２３        側面部第二開口
２３          連絡部
２４          阻害部材
３            インジケーター封入部
３１          インジケーター
３２          第一突起
３３          第二突起
３４          隙間
３５          嵌合突起
【図１】
2009125130.tif 000003
【図２】
2009125130.tif 000004
【図３】
2009125130.tif 000005
【図４】
2009125130.tif 000006
【図５】
2009125130.tif 000007
【図６】
2009125130.tif 000008
【図７】
2009125130.tif 000009